(57)【要約】【課題】簡単な部材を組み合わせることで、概観模様句、また手軽に様々な造形を楽しむことができるクラフトを提供する。【解決手段】  平面湾曲した１枚の紙により形成されており、上記中心部は一方に湾曲して形成されるとともに、上記中心部から左右対称に中心部とは逆方に湾曲して形成された両端部から形成されており、上記パーツの幅方向中央部には、左右全体にわたって折り目が形成されているクラフト用パーツと、このクラフト用パーツを組み合わせてなるクラフトを得る。【選択図】図１
0003173476.tif 000002
【実用新案登録請求の範囲】
【請求項１】
部材を組み立てて造形を行なうクラフト用のパーツであって、
平面湾曲した１枚の紙により形成されており、
上記中心部は一方に湾曲して形成されるとともに、
上記中心部から左右対称に中心部とは逆方に湾曲して形成された両端部から形成されており、
上記パーツの幅方向中央部には、左右全体にわたって折り目が形成されている、
ことを特徴とするクラフト用パーツ。
【請求項２】
上記折り目に沿って幅方向中心から上下に折り曲げられるとともに、
上記両端部が重ねあわされて接着されている、
請求項１記載のクラフト用パーツ。
【請求項３】
上記折り曲げられた中心部には、折り曲げられたことにより端部側に行くに従って幅が狭くなる細長の穴が形成されている、
請求項２記載のクラフト用パーツ。
【請求項４】
上記請求項２又は３のいずれかに記載のペーパークラフト用パーツを複数用いて、各パーツの中心部を円形に配置して構成されてなる、
ことを特徴とするクラフト。
【請求項５】
上記請求項３に記載のクラフト用パーツの穴に棒を通して、各パーツを重ねて配置されてなる、
ことを特徴とするクラフト。
【考案の詳細な説明】
【技術分野】
【０００１】
本考案は、主にペーパークラフトなどに関する。
【背景技術】
【０００２】
切り目に沿って切り抜いて、折り目に沿って折り曲げることにより、たとえばプラモデルやその部品のような立体状の形態を構成するペーパークラフトが知られている。
【０００３】
このような先行例としては、特許文献１では、折り目に沿って折り曲げることにより三次元的な形態を構成するペーパークラフトであって、折り目に沿ってハーフカットまたはミシン目が形成され、切り目は複数のタイ部分を除いて予め切断されたものが開示されている
特許文献２には、パーツを切り分けず、外形のみを切り抜き、山折り、谷折りのみで、形状を作製し、形状を理解しやすいイラストが印刷してある、表面のみを見えるようにしたペーパークラフトが開示されている。
【先行技術文献】
【特許文献】
【０００４】
【特許文献１】特開２００４−３０５６７８号公報
【特許文献２】特開２００４−１４７８９２号公報
【考案の概要】
【考案が解決しようとする課題】
【０００５】
しかし、従来技術では、以下のような問題があった。
（１）カッターやはさみなどを用いてきりに抜いたうえで、それぞれの部材や部品の形に応じて曲げたり、切断したり、また切り込みをいれるなどの作業を行なわなければならず、部品や部分ごとにそれを確認する必要があり、非常に面倒であった。
（２）従来のペーパークラフトは、各部材ごとに個別の形状をしており、例えば、花を創る場合は花用に切断された部材を用意し、木を創る場合は木用に用意された部材を用意するなど、個別に部品を用意する必要があり、効率が悪かった。
（３）ペーパークラフトの各部材を棒に通す場合、再度穴を開けなければならず、綺麗に穴を開けないと概観が悪いばかりか、強度も弱くなってしまうという問題があった。
（４）複数の部材を組み合わせる場合、その糊代を別途作らなければならないという問題があった。
【０００６】
本考案は、前述の課題に鑑みてなされたものであり、簡単な部材を組み合わせることで、概観模様句、また手軽に様々な造形を楽しむことができるクラフト用パーツ、及びクラフトを提供することを目的とする。
【課題を解決するための手段】
【０００７】
上記目的を達成するため、本考案に係るクラフト用パーツは、平面湾曲した１枚の紙により形成されており、上記中心部は一方に湾曲して形成されるとともに、上記中心部から左右対称に中心部とは逆方に湾曲して形成された両端部から形成されており、上記パーツの幅方向中央部には、左右全体にわたって折り目が形成されていることを特徴とする。
【０００８】
上記折り目に沿って幅方向中心から上下に折り曲げられるとともに、上記両端部が重ねあわされて接着されていてもよい。
【０００９】
上記折り曲げられた中心部には、折り曲げられたことにより端部側に行くに従って幅が狭くなる細長の穴が形成されていてもよい。
【００１０】
本考案にかかるクラフトは、上記クラフト用パーツを複数用いて、各パーツの中心部を円形に配置して構成されている。
【００１１】
またクラフト用パーツの穴に棒を通して、各パーツを重ねて配置してもよい。
【考案の効果】
【００１２】
本考案によれば、一つの素材を組み合わせることで多種多様な造形を創ることができる。
また各種の造形を創る場合も別に糊代を設けたり、穴を開けたりする必要が少なくなり、全体として綺麗な外観で様々な作品を創ることができる。
【図面の簡単な説明】
【００１３】
【図１】本考案の実施形態に係るペーパークラフト部材の（ａ）紙片を示した平面図。（ｂ）紙片を折り曲げたところを示した正面図。（ｃ）紙片を折り曲げている様子を示した上面図。（ｄ）ペーパークラフト部材の上面斜視図。
【図２】本考案の実施形態に係るペーパークラフト部材を円形に並べて配置した様子を示した正面図。
【図３】本考案の実施形態に係るペーパークラフト部材を棒に通して配置した様子を示した正面図。
【考案を実施するための形態】
【００１４】
以下、本考案の実施形態に係るクラフトについて、ペーパークラフトに適用した例を、図を参照して説明する。
図１（ａ）に示されるように、本実施形態に係るペーパークラフト用の紙片１は、平面湾曲した１枚の紙により形成されており、中心部１ａは図示下方に湾曲して形成されるとともに、そこから左右対称に中心部とは逆の上方に湾曲して形成された左右両端部１ｂ、１ｂから形成されている。
また部材１の幅方向中央部には、左右全体にわたって折り目１ｃが形成されている。
【００１５】
この紙材１からペーパークラフト用のパーツを織り上げるには、まず図１（ｂ）に示すように折り目１ｃに沿って折り曲げる。これにより、幅方向中心から折られた状態となる。
この状態から、図１（ｃ）に示すように、左右の両端部１ｂ、１ｂが重なるように折り合わせて、その両端部を糊付けする。
これにより、図１（ｄ）に示すように、中心部１ａが盛り上がるように曲面に折り曲げられて穴１ｄが形成されている。この穴１ｄは端部側に行くに従って幅が狭くなる細長に形成されている。
そして端部１ｂから中心部１ａにかけて、立ち上がるとともに、滑らかな曲面が形成される。これにより、本実施形態にかかるペーパークラフト用のパーツが完成する。
【００１６】
次にこのペーパークラフト用パーツを使ったペーパークラフトの作り方について説明する。
図２に示すように、複数のパーツを組み合わせて花を創る場合には、パーツの端部１ｂが立ち上がるように、中心部１ａを円形に配置する。そして、隣り合い重なる中心部１ａ同士を接着することで花の造形ができる。
またこの花の中心部に照明を配置することでより綺麗な造形ができる。
また同様に複数のパーツを配置していくことで、風車や風車なども創ることができる。
【００１７】
別の例として、図３に示すようにパーツの穴１ｄを棒２に通して、パーツを上下に重ねることでツリーをつくることができる。
この場合、穴１ｄが端部に向かって幅狭の長穴となっているため、端部１ｂの加重により穴２を挟み込むようになり、パーツが棒２の所定位置に止まるようになっている。そのため、特に糊付けをしなくとも単純に上下に重ねるだけでツリーを創ることができる。
またこの場合、図３のパーツの斜線部分に絵を描いたり、また塗りつぶしたり、模様を入れたりすることで、より装飾性を上げることができる。
【００１８】
このように、本実施形態のペーパークラフト用パーツによれば、１つのパーツを組み合わせることで、様々な造形を楽しむことができる。
このパーツも１枚の紙片１を折って両端を糊付けするだけでよいことから非常に簡単に創ることができる。
また、中心部に穴１ｄが形成されているため、これを棒２に通すだけで、糊付け等しなくとも簡単にツリーなどを創ることができる。
【００１９】
なお、本実施形態の端部１ｂの形状や幅などは任意である。
上述の実施形態では、紙により造形をすることについて説明したが、素材は紙限らずに、例えば、プラスチックやポリエスチレンのような素材のシートや薄い銅板などの金属のシートなどを素材として同様なことを行なっても良い。
【符号の説明】
【００２０】
１      紙片
１ａ    中心部
１ｂ    端部
１ｃ    折り目
１ｄ    穴
２      棒
【図１】
0003173476.tif 000003
【図２】
0003173476.tif 000004
【図３】
0003173476.tif 000005
【手続補正書】
【提出日】平成23年11月25日(2011.11.25)
【手続補正１】
【補正対象書類名】実用新案登録請求の範囲
【補正対象項目名】請求項１
【補正方法】変更
【補正の内容】
【請求項１】
部材を組み立てて造形を行なうクラフト用のパーツであって、
平面湾曲した１枚の紙により形成されており、
上記紙の中心部は一方に湾曲して形成されるとともに、
上記中心部から左右対称に中心部とは逆方に湾曲して形成された両端部から形成されており、
上記パーツの幅方向中央部には、左右全体にわたって折り目が形成されている、
ことを特徴とするクラフト用パーツ。